(57)【要約】【課題】現在、どの機能が選択されているのか、どの機能に対して操作できるのかがわかるようにする。【解決手段】本発明の携帯端末装置によれば、制御手段２により、現在操作対象となっている機能に対応する予め定めた色を指定し、発光手段３により、予め定めた複数の色のうちから制御手段２により指定された色の光を発光する。【選択図】      図１
2005045657.tif 000002
【特許請求の範囲】
【請求項１】
複数の機能を同時に動作可能な携帯端末装置において、
現在操作対象となっている機能に対応する予め定めた色を指定する制御手段と、
予め定めた複数の色のうちから前記制御手段により指定された色の光を発光する発光手段と、
を備えたことを特徴とする携帯端末装置。
【請求項２】
前記発光手段は、多色発光可能なＬＥＤ、ＥＬ（エレクトロ  ルミネセンス）素子を含む発光素子を有することを特徴とする請求項１記載の携帯端末装置。
【請求項３】
前記発光素子を表面側の筐体に備えたことを特徴とする請求項２記載の携帯端末装置。
【請求項４】
前記発光素子を裏面側の筐体に備えたことを特徴とする請求項２記載の携帯端末装置。
【請求項５】
前記発光素子を側面側の筐体に備えたことを特徴とする請求項２記載の携帯端末装置。
【請求項６】
操作の対象とする前記機能を切り替える操作手段を有し、前記発光素子を前記操作手段のバックライトとしてこの操作手段の背面に備えたことを特徴とする請求項２記載の携帯端末装置。
【請求項７】
複数の機能を同時に動作可能な携帯端末装置において、
動作中の機能を示すエリアを表示する表示手段と、
前記表示手段に表示された前記エリアのうちの現在操作対象となっている機能を示す前記エリアをこの機能に対応する予め定めた色で前記表示手段に表示させる制御手段と、
を備えたことを特徴とする携帯端末装置。
【請求項８】
制御手段は、現在操作対象となっている機能を示す前記エリア内の背景をこの機能に対応する予め定めた色で前記表示手段に表示させることを特徴とする請求項７記載の携帯端末装置。
【請求項９】
制御手段は、現在操作対象となっている機能を示す前記エリア内の周辺部分をこの機能に対応する予め定めた色で前記表示手段に表示させることを特徴とする請求項７記載の携帯端末装置。
【発明の詳細な説明】
【技術分野】
【０００１】
本発明は携帯端末装置に関し、特に複数の機能を同時に動作可能な携帯端末装置に関する。
【背景技術】
【０００２】
携帯電話端末等の携帯端末装置は、電子メール機能、電話帳編集機能等多くの機能を有し、複数の機能を同時に動作させることができる。このとき、携帯端末装置の画面に動作中の機能を示すエリアを表示し、複数の機能が動作中であることを示すようにしている。
【０００３】
図３は、動作中の機能を示すエリアの表示例を示す図であり、画面に同時に動作中のＡ、Ｂの２種類の機能を示すエリアが表示されていることを示している。このエリアの表示形式はどの機能に対しても同じである。
【０００４】
また、複数機能のうちの一つの機能をメニューから選択したときにこの選択した機能を最も高い輝度レベルで表示して視認性を高めるようにしたものもある（例えば、特許文献１参照）。
【０００５】
【特許文献１】特開２００２−１４０１４５号公報（第１頁、図７）
【発明の開示】
【発明が解決しようとする課題】
【０００６】
上述した従来の携帯端末装置は、複数の機能を同時に動作させるとき、携帯端末装置の画面に動作中の機能を示すエリアを表示するが、このエリアの表示形式はどの機能に対しても同じであるので、現在どの機能に対して操作部で操作できるのかわからないという問題がある。
【０００７】
また、特開２００２−１４０１４５号公報の技術は、選択した機能を最も高い輝度レベルで表示して視認性を高めているが、選択した機能を示す文字が小さかったり、表示画面を横から見たり遠くから見たり等した時には、どの機能が選択されているのかわからないという問題がある。
【０００８】
本発明の目的はこのような従来の欠点を除去するため、現在どの機能に対して操作できるのかわかり、選択した機能を示す文字が小さかったり、表示画面を横から見たり遠くから見たり等しても、どの機能が選択されているのかわかる携帯端末装置を提供することにある。
【課題を解決するための手段】
【０００９】
本発明の第１の携帯端末装置は、複数の機能を同時に動作可能な携帯端末装置において、現在操作対象となっている機能に対応する予め定めた色を指定する制御手段と、
予め定めた複数の色のうちから前記制御手段により指定された色の光を発光する発光手段と、
を備えて構成されている。
【００１０】
また、本発明の第１の携帯端末装置の前記発光手段は、多色発光可能なＬＥＤ、ＥＬ（エレクトロ  ルミネセンス）素子を含む発光素子を有する。
【００１１】
更に、本発明の第１の携帯端末装置の前記発光素子は、表面側の筐体に備える。
【００１２】
また、本発明の第１の携帯端末装置は、更に、操作の対象とする前記機能を切り替える操作手段を有し、前記発光素子を前記操作手段のバックライトとしてこの操作手段の背面に備える。
【００１３】
本発明の第２の携帯端末装置は、複数の機能を同時に動作可能な携帯端末装置において、動作中の機能を示すエリアを表示する表示手段と、
前記表示手段に表示された前記エリアのうちの現在操作対象となっている機能を示す前記エリアをこの機能に対応する予め定めた色で前記表示手段に表示させる制御手段と、
を備えて構成されている。
【００１４】
また、本発明の第２の携帯端末装置の制御手段は、現在操作対象となっている機能を示す前記エリア内の背景をこの機能に対応する予め定めた色で前記表示手段に表示させる。
【発明の効果】
【００１５】
本発明の携帯端末装置によれば、制御手段により、現在操作対象となっている機能に対応する予め定めた色を指定し、発光手段により、予め定めた複数の色のうちから制御手段により指定された色の光を発光するため、使用者は発光した色を認識することにより、現在、どの機能が選択されているのか、また、どの機能に対して操作部で操作できるのかがわかる。
【発明を実施するための最良の形態】
【００１６】
次に、本発明の実施の形態について図面を参照して説明する。
【００１７】
図１は、本発明の携帯端末装置の第１の実施の形態を示すブロック図である。
【００１８】
図１に示す本実施の形態は、複数の機能を同時に動作可能な携帯端末装置であって、操作手段１と、制御手段２と、発光手段３と、表示手段４と、記憶手段５とにより構成する。
【００１９】
操作手段１は、例えばキー等を有し、操作者のキー入力による指示にしたがい操作の対象とする機能を切り替える。
【００２０】
表示手段４は、例えば液晶等の表示器８を有し、この表示器８に動作中の機能を示すエリアを表示する。
【００２１】
制御手段２は、現在操作対象となっている機能に対応する予め定めた色を指定する。この色は、例えば、赤、青、黄、緑等である。
【００２２】
発光手段３は、例えば多色発光可能なＬＥＤ、ＥＬ（エレクトロ  ルミネセンス）素子を含む発光素子９を有し、予め定めた複数の色のうちから制御手段２により指定された色の光を発光する。
【００２３】
記憶手段５は、本携帯端末装置が同時に動作可能な機能の状態の一覧を示す機能状態テーブルを格納している。
【００２４】
次に、本実施の形態の携帯端末装置の動作を図２，図３，図４及び図５を参照して詳細に説明する。
【００２５】
図２は、本発明の実施の形態の動作の一例を示すフローチャートである。
【００２６】
図３は、動作中の機能を示すエリアの表示例を示す図であり、表示器８に同時に動作中のＡ、Ｂの２種類の機能を示すエリアが表示されていることを示している。但し、本実施例では、同時に２つの機能を起動できるものとする。
【００２７】
図４は、本携帯端末装置が同時に動作可能な機能の状態の一覧を示す機能状態テーブルの一例を示す図であり、同時に動作可能な機能の機能識別子（ａ〜ｎ）に対応させて、この機能識別子の機能が起動しているか否かを示す機能起動フラグ（ＯＮにて起動）とこの機能識別子の機能への操作が有効であるか否かを示す操作有効フラグ（ＯＮにて有効）とを有する。但し、本実施例では、同時に２つの機能を起動できるものとし、この図４は、機能識別子ａとｂの機能が同時に起動しており、機能識別子ａの機能への操作が有効であることを示している。機能識別子は機能を起動するときの起動の優先順位の高い順にａからｎを付けている。
【００２８】
図５は、発光素子の本携帯端末装置上の位置の一例を示す図であり、発光素子９を携帯端末装置の表面側の筐体左下部に備えていることを示している。
【００２９】
図６は、発光素子の本携帯端末装置上の位置の他の例を示す図であり、発光素子９をバックライトとして携帯端末装置の操作手段１の背面に位置することを示している。
【００３０】
図１において、図２のステップ２１では、制御手段２は、操作者の指示に従い入力された操作手段１からの入力データを解析し、入力データが新規機能の起動指示であれば、ステップ２２へ続ける。入力データが新規機能の起動指示でなければ、ステップ２５へ続ける。
【００３１】
図２のステップ２２では、制御手段２は、記憶手段５に格納した図４で示す機能状態テーブルより、機能起動フラグを参照し起動中のものが一つ以下か否かを調べる。起動中のものが一つ以下でないとき（本実施例では二つのとき）はステップ３５のエラー処理へ続ける。また、起動中のものが一つ以下のときはステップ２３へ続ける。
【００３２】
図２のステップ２３では、制御手段２は、機能起動フラグがＯＦＦの機能識別子のうちの、起動の優先順位の高い機能識別子の機能を選び、この機能の機能起動フラグをＯＮにし操作有効フラグをＯＮにする。そして、起動中（機能起動フラグがＯＮ）の他の機能の操作有効フラグをＯＦＦにし、ステップ２４へ続ける。
【００３３】
図２のステップ２４では、制御手段２は、ステップ２３で操作有効フラグをＯＮにした機能識別子に対応する予め定めた色、例えば青を発光するよう発光手段３に指定する。発光手段３は、発光素子９により青を発光し、終了する。この発光素子９は、図５で示すように、携帯端末装置の表面側の筐体に備える。裏面側の筐体や側面側の筐体に備えても良い。また、この発光素子９は、図６で示すように、バックライトとして携帯端末装置の操作手段１の背面に設定しても良い。
【００３４】
図２のステップ２５では、制御手段２は、入力データを解析し、入力データが機能切替指示であれば、ステップ２６へ続ける。入力データが機能切替指示でなければ、ステップ２９へ続ける。
【００３５】
図２のステップ２６では、制御手段２は、機能状態テーブルより、機能起動フラグを参照し起動中のものが二つあるか否かを調べる。起動中のものが二つないときにはステップ３５のエラー処理へ続ける。また、起動中のものが二つあるときはステップ２７へ続ける。
【００３６】
図２のステップ２７では、制御手段２は、起動中の機能の操作有効フラグのＯＮとＯＦＦとを切り替える。すなわち、起動中の機能の操作有効フラグがＯＮのものにはこの操作有効フラグをＯＦＦに設定し、操作有効フラグがＯＦＦのものにはこの操作有効フラグをＯＮに設定する。そして、ステップ２８へ続ける。
【００３７】
図２のステップ２８では、制御手段２は、ステップ２７で操作有効フラグをＯＮにした機能識別子に対応する予め定めた色、例えば黄を発光するよう発光手段３に指定する。発光手段３は、発光素子９により黄を発光し、終了する。
【００３８】
図２のステップ２９では、制御手段２は、入力データを解析し、入力データが機能終了指示であれば、ステップ３０へ続ける。入力データが機能切替指示でなければ、終了する。
【００３９】
図２のステップ３０では、制御手段２は、機能状態テーブルより、機能起動フラグを参照し起動中のものが二つあるか否かを調べる。（すなわち、現在操作が有効な機能から、操作を有効にする移行先となる機能があるか否かを調べる。）起動中のものが二つあるときはステップ３１へ続ける。起動中のものが二つないときにはステップ３３へ続ける。
【００４０】
図２のステップ３１では、制御手段２は、起動中の機能のうちの操作有効フラグがＯＮの機能の機能起動フラグと操作有効フラグをＯＦＦにし、この機能の起動を停止する。そして、起動中の他方の機能の操作有効フラグをＯＮに設定しステップ３２へ続ける。
【００４１】
図２のステップ３２では、制御手段２は、ステップ３１で操作有効フラグをＯＮにした機能識別子に対応する予め定めた色、例えば緑を発光するよう発光手段３に指定する。発光手段３は、発光素子９により緑を発光し、終了する。
【００４２】
図２のステップ３３では、制御手段２は、起動中の機能の機能起動フラグと操作有効フラグをＯＦＦにし、この機能の起動を停止しステップ３４へ続ける。
【００４３】
図２のステップ３４では、制御手段２は、消灯するよう発光手段３に指示する。発光手段３は発光素子９を消灯し、終了する。
【００４４】
図２のステップ３５では、制御手段２は、例えば、発光素子９を数回点滅させる等のエラー処理を行い、終了する。
【００４５】
図７は、本発明の携帯端末装置の第２の実施の形態を示すブロック図である。
【００４６】
第２の実施の形態において、第１の実施の形態と同等の構成要素には同じ符号および名称を付し説明を省略する。
【００４７】
図７に示す本実施の形態は、複数の機能を同時に動作可能な携帯端末装置であって、操作手段１と、制御手段６と、表示手段７と、記憶手段５とにより構成する。
【００４８】
操作手段１と記憶手段５とは第１の実施の形態と同じである。
【００４９】
表示手段７は、例えば液晶等の表示器８を有し、この表示器８に動作中の機能を示すエリアを表示する。また、表示手段７は、現在操作対象となっている機能を示すエリアを制御手段６より指示された予め定めた色で表示器８に表示する。
【００５０】
制御手段６は、表示手段７に表示されたエリアのうちの現在操作対象となっている機能を示すエリアをこの機能に対応する予め定めた色で表示するよう表示手段７に指示する。
【００５１】
次に、本実施の形態の携帯端末装置の動作を詳細に説明する。
【００５２】
本実施の形態の動作は、第１の実施の形態の動作とは図２のステップ２４、図２のステップ２８、図２のステップ３２、図２のステップ３４、図２のステップ３５が異なり、他は同じである。異なるステップについて説明する。
【００５３】
図２のステップ２４に対応するステップでは、制御手段６は、図２のステップ２３で操作有効フラグをＯＮにした機能識別子に対応する予め定めた色（例えば青）で、この操作有効フラグがＯＮの機能識別子の機能を示すエリア内の例えば背景を表示するよう表示手段７に指示する。表示手段７は、制御手段６の指示にしたがい表示器８に、現在操作対象となっている機能を示すエリア内の背景を青色で表示し、終了する。このとき、制御手段６は、現在操作対象となっている機能を示すエリア内の周辺部分をこの機能に対応する青色で表示器８に表示させても良い。また、制御手段６は、現在操作対象となっている機能を示すエリア内の背景を青色の複数の斜線、複数の横線又は複数の縦線等で表示器８に表示させても良い。
【００５４】
図２のステップ２８に対応するステップでは、制御手段６は、図２のステップ２７で操作有効フラグをＯＮにした機能識別子に対応する予め定めた色（例えば黄）で、この操作有効フラグがＯＮの機能識別子の機能を示すエリア内の例えば背景を表示するよう表示手段７に指示する。表示手段７は、制御手段６の指示にしたがい表示器８に、現在操作対象となっている機能を示すエリア内の背景を青色で表示し、終了する。
【００５５】
図２のステップ３２に対応するステップでは、制御手段６は、図２のステップ３１で操作有効フラグをＯＮにした機能識別子に対応する予め定めた色（例えば緑）で、この操作有効フラグがＯＮの機能識別子の機能を示すエリア内の例えば背景を表示するよう表示手段７に指示する。表示手段７は、制御手段６の指示にしたがい表示器８に、現在操作対象となっている機能を示すエリア内の背景を青色で表示し、終了する。
【００５６】
図２のステップ３４に対応するステップでは、制御手段６は、図２のステップ３３によっり動作中の機能がなくなったので、エリア表示を消去するよう表示手段７に指示し、表示手段７は表示器８よりエリア表示を消去し、終了する。
【００５７】
図２のステップ３５に対応するステップでは、制御手段６は、例えば、表示手段７の表示器８を数回点滅させる等のエラー処理を行い、終了する。
【図面の簡単な説明】
【００５８】
【図１】本発明の携帯端末装置の第１の実施の形態を示すブロック図である。
【図２】本発明の実施の形態の動作の一例を示すフローチャートである。
【図３】動作中の機能を示すエリアの表示例を示す図である。
【図４】本携帯端末装置が同時に動作可能な機能の状態の一覧を示す機能状態テーブルの一例を示す図である。
【図５】発光素子の本携帯端末装置上の位置の一例を示す図である。
【図６】発光素子の本携帯端末装置上の位置の他の例を示す図である。
【図７】本発明の携帯端末装置の第２の実施の形態を示すブロック図である。
【符号の説明】
【００５９】
１    操作手段
２    制御手段
３    発光手段
４    表示手段
５    記憶手段
６    制御手段
７    表示手段
８    表示器
９    発光素子
【図１】
2005045657.tif 000003
【図２】
2005045657.tif 000004
【図３】
2005045657.tif 000005
【図４】
2005045657.tif 000006
【図５】
2005045657.tif 000007
【図６】
2005045657.tif 000008
【図７】
2005045657.tif 000009